(57)【要約】      （修正有）【課題】胴縁を削孔することを必要としないで、複数の胴縁付パネルの平面角度を変えることのできるフェンス用継手及びフェンスを提供する。【解決手段】パネル本体６１に胴縁６２が設けられた胴縁付パネル６を支柱７に取り付けるフェンス用継手１に関し、支柱７及び胴縁付パネル６に取り付けられる第１部材と、胴縁付パネル６に取り付けられる第２部材とを備え、第１部材は、胴縁６２に当接される第１胴縁保持部と、パネル本体６１に取り付けられる第１パネル固定部と、支柱７に挿通される締結部材で固定される第１支柱固定部とを有し、第２部材は、胴縁６２に当接される第２胴縁保持部と、パネル本体６１に取り付けられる第２パネル固定部とを有する。【選択図】図１
2015004234.tif 000002
【特許請求の範囲】
【請求項１】
パネル本体に胴縁が設けられた胴縁付パネルを支柱に取り付けるフェンス用継手であって、
支柱及び胴縁付パネルに取り付けられる第１部材と、胴縁付パネルに取り付けられる第２部材とを備え、
前記第１部材は、胴縁に当接される第１胴縁保持部と、パネル本体に取り付けられる第１パネル固定部と、支柱に挿通される締結部材で固定される第１支柱固定部とを有し、
前記第２部材は、胴縁に当接される第２胴縁保持部と、パネル本体に取り付けられる第２パネル固定部とを有すること
を特徴とするフェンス用継手。
【請求項２】
前記第１胴縁保持部及び前記第２胴縁保持部は、胴縁付パネルの正面側及び背面側から胴縁を挟み込むものであり、
前記第１パネル固定部及び前記第２パネル固定部は、胴縁付パネルの正面側及び背面側からパネル本体を挟み込むものであり、パネル本体に挿通される締結部材で固定されること
を特徴とする請求項１記載のフェンス用継手。
【請求項３】
前記第１支柱固定部及び前記第２パネル固定部は、支柱及び胴縁付パネルの正面側又は背面側で、相互に干渉しないように設けられること
を特徴とする請求項１記載のフェンス用継手。
【請求項４】
支柱を挟んで反転させて取り付けられる一対の前記第１部材と、一対の前記第１部材の各々に対応する一対の前記第２部材とを備え、
一方の前記第１部材は、隣り合う複数の胴縁付パネルのうち、一方の胴縁付パネルのパネル本体を、前記第１パネル固定部と一方の前記第２部材の前記第２パネル固定部とで挟み込むものであり、
他方の前記第１部材は、隣り合う複数の胴縁付パネルのうち、他方の胴縁付パネルのパネル本体を、前記第１パネル固定部と他方の前記第２部材の前記第２パネル固定部とで挟み込むものであり、
一対の前記第１部材は、各々の前記第１支柱固定部が、支柱の正面側及び背面側に当接されて、支柱に挿通される１個の締結部材で固定されること
を特徴とする請求項１〜３の何れか１項記載のフェンス用継手。
【請求項５】
支柱に取り付けられる第３部材をさらに備え、
前記第３部材は、支柱に挿通される締結部材で固定される第３支柱固定部を有し、前記第１部材の前記第１支柱固定部と前記第３支柱固定部とが、支柱の正面側及び背面側に当接されて、支柱に挿通される締結部材で固定されること
を特徴とする請求項１又は２記載のフェンス用継手。
【請求項６】
前記第２部材及び前記第３部材は、支柱及び胴縁付パネルの正面側又は背面側で、前記第３支柱固定部と前記第２パネル固定部とが、相互に干渉しないように設けられること
を特徴とする請求項５記載のフェンス用継手。
【請求項７】
前記第１部材は、前記第１胴縁保持部及び前記第２部材の前記第２胴縁保持部が、胴縁付パネルの正面側及び背面側から胴縁を挟み込むものであり、前記第１パネル固定部及び前記第２部材の前記第２パネル固定部が、胴縁付パネルの正面側及び背面側からパネル本体を挟み込んでパネル本体に挿通される締結部材で固定されるものであり、前記第１支柱固定部と前記第３部材の前記第３支柱固定部とが、支柱に挿通される締結部材で固定されること
を特徴とする請求項５又は６記載のフェンス用継手。
【請求項８】
正面側と背面側とを隔てて設置されるフェンスであって、
パネル本体に胴縁が設けられた胴縁付パネルと、前記胴縁付パネルが取り付けられる支柱と、前記支柱を挟んで反転させて前記支柱及び前記胴縁付パネルに取り付けられる一対の第１部材と、一対の前記第１部材の各々に対応して前記胴縁付パネルに取り付けられる一対の第２部材とを備え、
前記第１部材は、前記胴縁に当接される第１胴縁保持部と、前記パネル本体に取り付けられる第１パネル固定部と、前記支柱に挿通される締結部材で固定される第１支柱固定部とを有し、
前記第２部材は、前記胴縁に当接される第２胴縁保持部と、前記パネル本体に取り付けられる第２パネル固定部とを有し、
一対の前記第１部材は、一方の前記第１部材の前記第１パネル固定部と一方の前記第２部材の前記第２パネル固定部とで、隣り合う複数の前記胴縁付パネルのうち、一方の前記胴縁付パネルの前記パネル本体を挟み込んで前記パネル本体に挿通される締結部材で固定されるものであるとともに、他方の前記第１部材の前記第１パネル固定部と他方の前記第２部材の前記第２パネル固定部とで、他方の前記胴縁付パネルの前記パネル本体を挟み込んで前記パネル本体に挿通される締結部材で固定されるものであり、各々の前記第１支柱固定部が、前記支柱の正面側及び背面側に当接されて、前記支柱に挿通される１個の締結部材で固定されること
を特徴とするフェンス。
【請求項９】
正面側と背面側とを隔てて設置されるフェンスであって、
パネル本体に胴縁が設けられた胴縁付パネルと、前記胴縁付パネルが取り付けられる支柱と、前記支柱及び前記胴縁付パネルに取り付けられる第１部材と、前記胴縁付パネルに取り付けられる第２部材と、前記支柱に取り付けられる第３部材とを備え、
前記第１部材は、前記胴縁に当接される第１胴縁保持部と、前記パネル本体に取り付けられる第１パネル固定部と、前記支柱に挿通される締結部材で固定される第１支柱固定部とを有し、
前記第２部材は、前記胴縁に当接される第２胴縁保持部と、前記パネル本体に取り付けられる第２パネル固定部とを有し、
前記第３部材は、前記支柱に挿通される締結部材で固定される第３支柱固定部を有し、
前記第１部材、前記第２部材及び前記第３部材は、前記第１部材の前記第１胴縁保持部及び前記第２部材の前記第２胴縁保持部が、前記胴縁付パネルの正面側及び背面側から前記胴縁を挟み込むものであり、前記第１部材の前記第１パネル固定部及び前記第２部材の第２パネル固定部が、前記胴縁付パネルの正面側及び背面側から前記パネル本体を挟み込んで前記パネル本体に挿通される締結部材で固定されるものであり、前記第１部材の前記第１支柱固定部と前記第３部材の前記第３支柱固定部とが、前記支柱の正面側及び背面側に当接されて、前記支柱に挿通される締結部材で固定されること
を特徴とするフェンス。
【発明の詳細な説明】
【技術分野】
【０００１】
本発明は、境界での仕切りとすることを目的として、複数の支柱の間に胴縁付パネルを取り付けて胴縁付パネルを支柱に固定するフェンス用継手及びフェンスに関するものである。
【背景技術】
【０００２】
従来より、境界での仕切りとして設置されるフェンスにおいて、胴縁が設けられたパネル等を支柱に固定するものとして、特許文献１に開示される継手金具、特許文献２に開示される連結部材及び特許文献３に開示されるジョイントが提案されている。
【０００３】
特許文献１に開示された継手金具は、パネルの上下端に取り付けられた胴縁と支柱とに固定されるものであり、胴縁に取り付けられて胴縁が挟み込まれることによって、この継手金具で胴縁を保持するとともに美感を向上させるものである（特許文献１  図３）。
【０００４】
特許文献２に開示された連結部材は、支柱装着部とフェンス装着部と曲げ部とから構成される板状のものであり、湾曲形状の支柱装着部に支柱締結用孔が形成され、この支柱締結用孔にボルト、ナット等の締結具が挿通されて支柱に固定されるものである（特許文献２  図６）。
【０００５】
特許文献３に開示されたジョイントは、金網フェンスの縦断勾配に対応可能な技術であり、このジョイントが金網フェンスの表側と裏側とに配置され、支柱と胴縁とがこのジョイントで挟み込まれることによって、支柱と胴縁とを保持するものである（特許文献３  第３図）。
【先行技術文献】
【特許文献】
【０００６】
【特許文献１】特開２０１０−２６１２４３号公報
【特許文献２】特開２００３−１３６２６号公報
【特許文献３】実開昭５９−１４２３５０号公報
【発明の概要】
【発明が解決しようとする課題】
【０００７】
しかし、特許文献１に開示された継手金具は、胴縁の端部を削孔して形成された孔にボルトを挿通させて胴縁に固定されるものであり、胴縁を削孔するための加工コストが増大するのみならず、胴縁が削孔されて強度低下するおそれがあるという問題点があった。
【０００８】
また、特許文献２に開示された連結部材も、フェンス締結用孔とパイプ状の胴縁を削孔して形成された孔とにボルトナットを貫通させて胴縁に固定されるものであり、胴縁の削孔による加工コストが増大し、胴縁が削孔されて強度低下するおそれがあるという問題点があった。
【０００９】
さらに、特許文献３に開示されたジョイントは、金網フェンスの表側と裏側とに配置されて平面方向で直線状に形成されるものであることから、支柱の両側で金網フェンスの平面角度を変えることができず、平面角度を変えて金網フェンスを自在に設置することができないばかりでなく、支柱と金網フェンスとの間に生じた施工誤差を吸収することができないものとなるという問題点があった。
【００１０】
そこで、本発明は、上述した問題点に鑑みて案出されたものであり、その目的とするところは、パネル本体に胴縁が設けられた胴縁付パネルを支柱に取り付けるときに、胴縁を削孔することを必要としないで、複数の胴縁付パネルの平面角度を変えることのできるフェンス用継手及びフェンスを提供することにある。
【課題を解決するための手段】
【００１１】
第１発明に係るフェンス用継手は、パネル本体に胴縁が設けられた胴縁付パネルを支柱に取り付けるフェンス用継手であって、支柱及び胴縁付パネルに取り付けられる第１部材と、胴縁付パネルに取り付けられる第２部材とを備え、前記第１部材は、胴縁に当接される第１胴縁保持部と、パネル本体に取り付けられる第１パネル固定部と、支柱に挿通される締結部材で固定される第１支柱固定部とを有し、前記第２部材は、胴縁に当接される第２胴縁保持部と、パネル本体に取り付けられる第２パネル固定部とを有することを特徴とする。
【００１２】
第２発明に係るフェンス用継手は、第１発明において、前記第１胴縁保持部及び前記第２胴縁保持部は、胴縁付パネルの正面側及び背面側から胴縁を挟み込むものであり、前記第１パネル固定部及び前記第２パネル固定部は、胴縁付パネルの正面側及び背面側からパネル本体を挟み込むものであり、パネル本体に挿通される締結部材で固定されることを特徴とする。
【００１３】
第３発明に係るフェンス用継手は、第１発明において、前記第１支柱固定部及び前記第２パネル固定部は、支柱及び胴縁付パネルの正面側又は背面側で、相互に干渉しないように設けられることを特徴とする。
【００１４】
第４発明に係るフェンス用継手は、第１発明〜第３発明の何れかにおいて、支柱を挟んで反転させて取り付けられる一対の前記第１部材と、一対の前記第１部材の各々に対応する一対の前記第２部材とを備え、一方の前記第１部材は、隣り合う複数の胴縁付パネルのうち、一方の胴縁付パネルのパネル本体を、前記第１パネル固定部と一方の前記第２部材の前記第２パネル固定部とで挟み込むものであり、他方の前記第１部材は、隣り合う複数の胴縁付パネルのうち、他方の胴縁付パネルのパネル本体を、前記第１パネル固定部と他方の前記第２部材の前記第２パネル固定部とで挟み込むものであり、一対の前記第１部材は、各々の前記第１支柱固定部が、支柱の正面側及び背面側に当接されて、支柱に挿通される１個の締結部材で固定されることを特徴とする。
【００１５】
第５発明に係るフェンス用継手は、第１発明又は第２発明において、支柱に取り付けられる第３部材をさらに備え、前記第３部材は、支柱に挿通される締結部材で固定される第３支柱固定部を有し、前記第１部材の前記第１支柱固定部と前記第３支柱固定部とが、支柱の正面側及び背面側に当接されて、支柱に挿通される締結部材で固定されることを特徴とする。
【００１６】
第６発明に係るフェンス用継手は、第５発明において、前記第２部材及び前記第３部材は、支柱及び胴縁付パネルの正面側又は背面側で、前記第３支柱固定部と前記第２パネル固定部とが、相互に干渉しないように設けられることを特徴とする。
【００１７】
第７発明に係るフェンス用継手は、第５発明又は第６発明において、前記第１部材は、前記第１胴縁保持部及び前記第２部材の前記第２胴縁保持部が、胴縁付パネルの正面側及び背面側から胴縁を挟み込むものであり、前記第１パネル固定部及び前記第２部材の前記第２パネル固定部が、胴縁付パネルの正面側及び背面側からパネル本体を挟み込んでパネル本体に挿通される締結部材で固定されるものであり、前記第１支柱固定部と前記第３部材の前記第３支柱固定部とが、支柱に挿通される締結部材で固定されることを特徴とする。
【００１８】
第８発明に係るフェンスは、正面側と背面側とを隔てて設置されるフェンスであって、パネル本体に胴縁が設けられた胴縁付パネルと、前記胴縁付パネルが取り付けられる支柱と、前記支柱を挟んで反転させて前記支柱及び前記胴縁付パネルに取り付けられる一対の第１部材と、一対の前記第１部材の各々に対応して前記胴縁付パネルに取り付けられる一対の第２部材とを備え、前記第１部材は、前記胴縁に当接される第１胴縁保持部と、前記パネル本体に取り付けられる第１パネル固定部と、前記支柱に挿通される締結部材で固定される第１支柱固定部とを有し、前記第２部材は、前記胴縁に当接される第２胴縁保持部と、前記パネル本体に取り付けられる第２パネル固定部とを有し、一対の前記第１部材は、一方の前記第１部材の前記第１パネル固定部と一方の前記第２部材の前記第２パネル固定部とで、隣り合う複数の前記胴縁付パネルのうち、一方の前記胴縁付パネルの前記パネル本体を挟み込んで前記パネル本体に挿通される締結部材で固定されるものであるとともに、他方の前記第１部材の前記第１パネル固定部と他方の前記第２部材の前記第２パネル固定部とで、他方の前記胴縁付パネルの前記パネル本体を挟み込んで前記パネル本体に挿通される締結部材で固定されるものであり、各々の前記第１支柱固定部が、前記支柱の正面側及び背面側に当接されて、前記支柱に挿通される１個の締結部材で固定されることを特徴とする。
【００１９】
第９発明に係るフェンスは、正面側と背面側とを隔てて設置されるフェンスであって、パネル本体に胴縁が設けられた胴縁付パネルと、前記胴縁付パネルが取り付けられる支柱と、前記支柱及び前記胴縁付パネルに取り付けられる第１部材と、前記胴縁付パネルに取り付けられる第２部材と、前記支柱に取り付けられる第３部材とを備え、前記第１部材は、前記胴縁に当接される第１胴縁保持部と、前記パネル本体に取り付けられる第１パネル固定部と、前記支柱に挿通される締結部材で固定される第１支柱固定部とを有し、前記第２部材は、前記胴縁に当接される第２胴縁保持部と、前記パネル本体に取り付けられる第２パネル固定部とを有し、前記第３部材は、前記支柱に挿通される締結部材で固定される第３支柱固定部を有し、前記第１部材、前記第２部材及び前記第３部材は、前記第１部材の前記第１胴縁保持部及び前記第２部材の前記第２胴縁保持部が、前記胴縁付パネルの正面側及び背面側から前記胴縁を挟み込むものであり、前記第１部材の前記第１パネル固定部及び前記第２部材の第２パネル固定部が、前記胴縁付パネルの正面側及び背面側から前記パネル本体を挟み込んで前記パネル本体に挿通される締結部材で固定されるものであり、前記第１部材の前記第１支柱固定部と前記第３部材の前記第３支柱固定部とが、前記支柱の正面側及び背面側に当接されて、前記支柱に挿通される締結部材で固定されることを特徴とする。
【発明の効果】
【００２０】
第１発明〜第７発明によれば、第１部材の第１パネル固定部と第２部材の第２パネル固定部とが、胴縁付パネルのパネル本体を挟み込んで固定されるため、胴縁を削孔することを必要とすることなく、第１胴縁保持部と第２胴縁保持部とで胴縁を挟み込んで確実に保持することができ、胴縁付パネルの胴縁に対する加工コストを増大させずに、胴縁を強度低下させることなく、支柱に胴縁付パネルを取り付けることが可能となる。
【００２１】
また、第１発明〜第７発明によれば、第１部材に第１横長孔が設けられているため、一対の第１部材の各々の第１支柱固定部を部分的に重ね合わせて、一対の第１部材の各々の第１パネル固定部の平面方向の平面角度を相互に変えることができ、１個の支柱に対して、隣り合う複数の胴縁付パネルの平面方向の平面角度を相互に変えることが可能となる。
【００２２】
さらに、第１発明〜第７発明によれば、胴縁付パネルの左端部及び右端部に隙間塞ぎ材が設けられることで、施工誤差によって生じる支柱と胴縁付パネルとの隙間を塞いで背面側からの視界を遮ることが可能となるとともに、第１取付孔、第２取付孔、パネル本体の貫通孔及び隙間塞ぎ材の孔部が重ね合わせられて、１個のパネル締結部材で固定されるものとなり、隙間塞ぎ材の孔部を流用して、パネル締結部材の数量を増加させることなく、容易、迅速に第１部材及び第２部材を胴縁付パネルに取り付けることが可能となる。
【００２３】
特に、第２発明によれば、第１部材及び第２部材を胴縁付パネルに取り付けた状態で、第１部材の第１支柱固定部が、胴縁付パネルの正面側又は背面側の何れか一方にのみ設けられるため、第１部材及び第２部材を胴縁付パネルにあらかじめ取り付けた後に、胴縁付パネルを支柱に固定することができ、支柱に胴縁付パネルを支持させながら第１部材及び第２部材を胴縁付パネルに取り付けることを必要とせず、容易、迅速に第１部材及び第２部材を胴縁付パネルに取り付けることが可能となる。
【００２４】
特に、第３発明によれば、第１部材の第１支柱固定部と、第２部材の第２パネル固定部とが、支柱及び胴縁付パネルの正面側又は背面側の各々で、幅方向で相互に干渉しないように設けられるものとなり、第１支柱固定部と第２パネル固定部とが重なり合わないようにして、第１部材及び第２部材を容易に取り付けることが可能となる。
【００２５】
さらに、第３発明によれば、１個の支柱に対して、隣り合う複数の胴縁付パネルの平面角度を相互に変えても、支柱及び胴縁付パネルの正面側又は背面側で一方の胴縁付パネルに取り付けられた第１部材と他方の胴縁付パネルに取り付けられた第２部材が相互に干渉することなく、この平面角度に容易に対応することができる。
【００２６】
特に、第４発明、第５発明によれば、胴縁付パネルの左上端部、左下端部、右上端部及び右下端部で、胴縁付パネル及び支柱の正面側及び背面側に反転させて、第１部材、第２部材、第３部材が取り付けられるため、各々の形状が共通する第１部材、第２部材、第３部材を用いて、継手の種類を増加させることなく、少ない種類の継手で胴縁付パネルを取り付けることができ、材料コストや施工コストの増大を抑制することが可能となる。
【００２７】
特に、第６発明によれば、第２部材の第２パネル固定部と、第３部材の第３支柱固定部とが、支柱及び胴縁付パネルの正面側及び背面側の各々で、幅方向で相互に干渉しないように設けられるものとなり、第２パネル固定部と第３支柱固定部とが重なり合わないようにして、第２部材及び第３部材を容易に取り付けることが可能となる。
【００２８】
特に、第７発明によれば、第１部材の第１支柱固定部や第３部材の第３支柱固定部のみによって、胴縁付パネルを支柱に支持させることができ、胴縁付パネルを支柱に直接的に支持させるものとして第２部材が用いられないため、第２部材の板厚を薄くすることができ、材料コストの増大を抑制することが可能となる。
【００２９】
第８発明、第９発明によれば、胴縁付パネルの胴縁に対する加工コスト、フェンスの材料コストや施工コスト及びフェンス継手の材料コストの増大を抑制することが可能となるとともに、容易、迅速に第１部材及び第２部材を胴縁付パネルに取り付けることが可能となる。
【００３０】
特に、第８発明によれば、フェンス継手を屈曲部に用いることによって、一対の第１部材の各々の第１パネル固定部の平面方向の平面角度を相互に変えることができ、１個の支柱に対して、隣り合う複数の胴縁付パネルの平面方向の平面角度を相互に変えることが可能となる。
【図面の簡単な説明】
【００３１】
【図１】本発明を適用したフェンスを示す斜視図である。
【図２】本発明を適用したフェンスを示す正面図である。
【図３】本発明を適用したフェンスの胴縁付パネルを示す正面図である。
【図４】（ａ）は、本発明を適用したフェンスの支柱を示す正面図であり、（ｂ）は、その平面方向の断面図である。
【図５】本発明を適用したフェンスに取り付けられるフェンス継手を示す斜視図である。
【図６】本発明を適用したフェンス継手の第１部材を示す斜視図である。
【図７】本発明を適用したフェンス継手の第２部材を示す斜視図である。
【図８】本発明を適用したフェンス継手の第３部材を示す斜視図である。
【図９】本発明を適用したフェンスの支柱の支柱上部及び支柱下部に取り付けられたフェンス継手の第１部材及び第３部材を示す斜視図である。
【図１０】本発明を適用したフェンスの胴縁付パネルの右上端部に取り付けられたフェンス継手の第１部材及び第２部材を示す斜視図である。
【図１１】本発明を適用したフェンスの支柱及び胴縁付パネルの左上端部に取り付けられたフェンス継手の第１部材、第２部材及び第３部材を示す斜視図である。
【図１２】本発明を適用したフェンスの支柱の支柱上部及び胴縁付パネルの右上端部に取り付けられたフェンス継手の一対の第１部材及び第２部材を示す斜視図である。
【図１３】本発明を適用したフェンスの支柱及び胴縁付パネルの左端部に取り付けられたフェンス継手の第１部材、第２部材及び第３部材を示す斜視図である。
【図１４】本発明を適用したフェンスの支柱及び胴縁付パネルの右端部に取り付けられたフェンス継手の一対の第１部材及び第２部材を示す斜視図である。
【図１５】（ａ）は、本発明を適用したフェンスの連結部を示す拡大正面図であり、（ｂ）は、そのＣ−Ｃ断面図である。
【図１６】（ａ）は、本発明を適用したフェンスの両端部を示す拡大正面図であり、（ｂ）は、そのＤ−Ｄ断面図である。
【図１７】（ａ）は、本発明を適用したフェンスの屈曲部における支柱を示す平面方向の断面図であり、（ｂ）は、その支柱に取り付けられたフェンス継手の一対の第１部材を示す平面方向の断面図である。
【図１８】（ａ）は、本発明を適用したフェンスの屈曲部を示す拡大正面図であり、（ｂ）は、そのＥ−Ｅ断面図である。
【図１９】本発明を適用したフェンスの他の実施形態を示す正面図である。
【発明を実施するための形態】
【００３２】
以下、本発明を適用したフェンス継手１及びフェンス５を実施するための形態について、図面を参照しながら詳細に説明する。
【００３３】
本発明を適用したフェンス５は、図１に示すように、正面側Ａと背面側Ｂとを隔てる境界に設置されるものであり、パネル本体６１に胴縁６２が設けられた胴縁付パネル６と、胴縁付パネル６が取り付けられる支柱７と、本発明を適用したフェンス継手１とを備える。
【００３４】
胴縁付パネル６は、正面側Ａと背面側Ｂとを隔てる境界で、本発明を適用したフェンス５の幅方向Ｘ及び高さ方向Ｙに延びて設けられる。胴縁６２は、断面略円形状の鋼管が用いられ、パネル本体６１の上端部及び下端部で、長手方向を幅方向Ｘとして一対となって設けられる。胴縁６２は、これに限らず、如何なる形状、材質のものが用いられてもよい。
【００３５】
パネル本体６１は、本発明を適用したフェンス５の奥行方向Ｚに突出させて、複数の小段部が幅方向Ｘに並べて形成された鋼板が用いられる。また、パネル本体６１は、必要に応じて、鋼板の複数箇所にガラリ加工が施されて、ルーバーが形成されてもよい。パネル本体６１は、これに限らず、如何なる材質、態様のものが用いられてもよく、金網等が用いられてもよい。
【００３６】
パネル本体６１は、図２、図３に示すように、パネル上部６１ａ、パネル下部６１ｂ及びパネル中間部６１ｃで、左端部及び右端部の各々に、奥行方向Ｚに貫通する３箇所の貫通孔６３が形成される。パネル本体６１は、支柱７との隙間を塞いで背面側Ｂからの視界を遮るものとして、左端部及び右端部の各々に隙間塞ぎ材６４が設けられる。
【００３７】
隙間塞ぎ材６４は、パネル本体６１に当接される平板部が形成された鋼板等が用いられ、パネル本体６１の貫通孔６３に対応させて、平板部に３箇所の孔部６５が形成される。隙間塞ぎ材６４は、パネル本体６１の貫通孔６３と孔部６５とが重ね合わせられて、ボルト、ネジ等のパネル締結部材６６を挿通させてナット等で締結することによって固定される。
【００３８】
支柱７は、図２、図４に示すように、本発明を適用したフェンス５の幅方向Ｘで、所定の間隔を空けて複数並べて設けられて、これらの間に胴縁付パネル６が取り付けられるものとなる。支柱７は、地面、コンクリート基礎又はブロック塀等に基端部が埋め込まれて、本発明を適用したフェンス５の高さ方向Ｙで、基端部から上方に向けて延びて設けられる。
【００３９】
支柱７は、断面略円形状の鋼管が用いられ、先端部に蓋部材７１が取り付けられる。支柱７は、これに限らず、如何なる形状、材質のものが用いられてもよい。支柱７は、支柱上部７ａ及び支柱下部７ｂにおいて、正面側Ａから背面側Ｂまで平面方向で略直線状に連通する挿通孔７２が形成される。
【００４０】
本発明を適用したフェンス継手１は、図５に示すように、胴縁付パネル６を支柱７に取り付けるために用いられるものであり、支柱７及び胴縁付パネル６に取り付けられる第１部材２と、胴縁付パネル６に取り付けられる第２部材３とを備える。本発明を適用したフェンス継手１は、さらに、支柱７に取り付けられる第３部材４を備えるものとすることもできる。
【００４１】
第１部材２は、図６に示すように、高さ方向Ｙに湾曲させて略円弧状に形成される第１胴縁保持部２１と、第１胴縁保持部２１から連続して設けられる平板状の第１パネル固定部２２と、第１パネル固定部２２から連続して設けられ、幅方向Ｘに湾曲させて略円弧状に形成される第１支柱固定部２３とを有する。第１部材２は、金属製のものが用いられるが、これに限らず、如何なる材質のものが用いられてもよい。
【００４２】
第１パネル固定部２２は、奥行方向Ｚに貫通する略矩形状の第１取付孔２４が形成される。第１取付孔２４は、これに限らず、如何なる形状で形成されてもよい。第１支柱固定部２３は、幅方向Ｘに湾曲させて延びる第１横長孔２５が形成される。
【００４３】
第２部材３は、図７に示すように、高さ方向Ｙに湾曲させて略円弧状に形成される第２胴縁保持部３１と、第２胴縁保持部３１から連続して設けられる平板状の第２パネル固定部３２とを有する。第２部材３は、金属製のものが用いられるが、これに限らず、如何なる材質のものが用いられてもよい。
【００４４】
第２パネル固定部３２は、奥行方向Ｚに貫通する略矩形状の第２取付孔３４が形成される。第２取付孔３４は、これに限らず、如何なる形状で形成されてもよい。第２パネル固定部３２は、必要に応じて、側端部から奥行方向Ｚに湾曲させて形成された突出部３３が設けられる。
【００４５】
第３部材４は、図８に示すように、幅方向Ｘに湾曲させて略円弧状に形成される第３支柱固定部４３を有する。第３部材４は、金属製のものが用いられるが、これに限らず、如何なる材質のものが用いられてもよい。第３支柱固定部４３は、幅方向Ｘに湾曲させて延びる第３横長孔４５が形成される。
【００４６】
本発明を適用したフェンス５は、図１に示すように、正面側Ａと背面側Ｂとを隔てる境界で、必要に応じて、幅方向Ｘに複数の胴縁付パネル６が並べて設けられ、また、必要に応じて、複数の胴縁付パネル６が平面方向の平面角度を変えて並べて設けられる。
【００４７】
このとき、本発明を適用したフェンス５は、幅方向Ｘの両端部５１と、幅方向Ｘに隣り合う複数の胴縁付パネル６が１個の支柱７に連結される連結部５２とを有し、また、隣り合う複数の胴縁付パネル６が平面方向の平面角度を変えて設けられる屈曲部５３を有するものとなる。
【００４８】
本発明を適用したフェンス継手１は、最初に、図９に示すように、フェンス５の両端部５１の支柱７に、第１部材２と第３部材４とが取り付けられる。本発明を適用したフェンス継手１は、支柱７の支柱上部７ａ及び支柱下部７ｂにおいて、支柱７の正面側Ａ及び背面側Ｂに、第１部材２の第１支柱固定部２３及び第３部材４の第３支柱固定部４３が当接される。
【００４９】
このとき、第１支柱固定部２３及び第３支柱固定部４３は、支柱７の挿通孔７２、第１横長孔２５及び第３横長孔４５が重ね合わせられて、ボルト、ネジ等の支柱締結部材７６を挿通させてナット等で締結されることによって、１個の支柱締結部材７６で固定されるものとなる。
【００５０】
また、第１部材２及び第３部材４は、支柱７の支柱上部７ａ及び支柱下部７ｂにおいて、支柱７の正面側Ａ及び背面側Ｂに反転させて用いられ、例えば、支柱７の支柱上部７ａで背面側Ｂに第１部材２が取り付けられた場合は、支柱７の支柱下部７ｂで正面側Ａに第１部材２が取り付けられる。
【００５１】
本発明を適用したフェンス継手１は、次に、図１０に示すように、胴縁付パネル６の右上端部で、第１部材２と第２部材３とが取り付けられる。第１部材２及び第２部材３は、胴縁付パネル６を地面等に置いたままの状態で、容易に取り付けることができるものとなる。
【００５２】
このとき、第１胴縁保持部２１及び第２胴縁保持部３１は、胴縁付パネル６の正面側Ａ及び背面側Ｂから、胴縁６２の略円弧状の周面に当接されて、胴縁６２を奥行方向Ｚで挟み込むものとなる。なお、胴縁付パネル６は、例えば、隙間塞ぎ材６４の中間の孔部６５のみがパネル締結部材６６でパネル本体６１に固定された状態で出荷される。
【００５３】
また、第１パネル固定部２２及び第２パネル固定部３２は、胴縁付パネル６の右上端部で、胴縁付パネル６の正面側Ａ及び背面側Ｂから、パネル本体６１に当接されて、パネル本体６１を奥行方向Ｚで挟み込むものとなる。さらに、第１パネル固定部２２及び第２パネル固定部３２は、第１取付孔２４、第２取付孔３４、パネル本体６１の貫通孔６３及び隙間塞ぎ材６４の孔部６５が重ね合わせられて、ボルト、ネジ等のパネル締結部材６６を挿通させてナット等で締結されることによって、１個のパネル締結部材６６で固定されるものとなる。
【００５４】
本発明を適用したフェンス継手１は、次に、図１１に示すように、胴縁付パネル６が複数の支柱７の間に設置されて、胴縁付パネル６の左上端部で、胴縁付パネル６の胴縁６２に第２部材３の第２胴縁保持部３１が当接される。このとき、第２部材３の第２胴縁保持部３１は、フェンス５の両端部５１の支柱７に取り付けられた第１部材２の第１胴縁保持部２１とともに、胴縁付パネル６の正面側Ａ及び背面側Ｂから、胴縁６２を奥行方向Ｚで挟み込むものとなる。
【００５５】
また、第１パネル固定部２２及び第２パネル固定部３２は、胴縁付パネル６の左上端部で、胴縁付パネル６の正面側Ａ及び背面側Ｂから、パネル本体６１に当接されて、パネル本体６１を奥行方向Ｚで挟み込むものとなる。さらに、第１パネル固定部２２及び第２パネル固定部３２は、第１取付孔２４、第２取付孔３４、パネル本体６１の貫通孔６３及び隙間塞ぎ材６４の孔部６５が重ね合わせられて、ボルト、ネジ等のパネル締結部材６６を挿通させてナット等で締結されることによって、１個のパネル締結部材６６で固定されるものとなる。
【００５６】
これにより、本発明を適用したフェンス継手１は、胴縁付パネル６の左上端部で、第１部材２の第１胴縁保持部２１及び第２部材３の第２胴縁保持部３１が胴縁６２を挟み込むものとなり、第１部材２の第１パネル固定部２２及び第２部材３の第２パネル固定部３２が、パネル本体６１を挟み込んでパネル締結部材６６で固定されるものとなり、第１部材２の第１支柱固定部２３及び第３部材４の第３支柱固定部４３が支柱締結部材７６で固定されるものとなる。
【００５７】
本発明を適用したフェンス継手１は、次に、図１２に示すように、胴縁付パネル６の右上端部で、胴縁付パネル６に取り付けられた一方の第１部材２と、支柱７を挟んで反転させて取り付けられる他方の第１部材２とが、支柱７及び胴縁付パネル６の正面側Ａ及び背面側Ｂから、フェンス５の連結部５２の支柱７に、一対の第１部材２として取り付けられるものとなる。
【００５８】
一対の第１部材２は、各々の第１支柱固定部２３が、支柱７の正面側Ａ及び背面側Ｂから、フェンス５の連結部５２の支柱７の側面に当接されて、支柱７を奥行方向Ｚで挟み込むものとなる。各々の第１支柱固定部２３は、各々の第１横長孔２５及び支柱７の挿通孔７２が重ね合わせられて、ボルト、ネジ等の支柱締結部材７６を挿通させてナット等で締結されることによって、１個の支柱締結部材７６で固定されるものとなる。
【００５９】
これにより、本発明を適用したフェンス継手１は、胴縁付パネル６の右上端部で、第１部材２の第１胴縁保持部２１及び第２部材３の第２胴縁保持部３１が、胴縁６２を挟み込むものとなり、第１部材２の第１パネル固定部２２及び第２部材３の第２パネル固定部３２が、パネル本体６１を挟み込んでパネル締結部材６６で固定されるものとなり、一対の第１部材２の各々の第１支柱固定部２３が、支柱７を挟み込んで支柱締結部材７６で固定されるものとなる。
【００６０】
本発明を適用したフェンス継手１は、次に、図１３に示すように、第１部材２、第２部材３及び第３部材４が、胴縁付パネル６の左下端部で、胴縁付パネル６の左上端部と高さ方向Ｙ及び奥行方向Ｚの向きを反転させて取り付けられる。また、本発明を適用したフェンス継手１は、図１４に示すように、一対の第１部材２及び第２部材３が、胴縁付パネル６の右下端部で、胴縁付パネル６の右上端部と高さ方向Ｙ及び奥行方向Ｚの向きを反転させて取り付けられる。このとき、一対の第１部材２は、支柱７の支柱上部７ａ及び支柱下部７ｂにおいて、支柱７の正面側Ａ及び背面側Ｂに反転させて用いられるものとなる。
【００６１】
本発明を適用したフェンス継手１は、最後に、図１５に示すように、フェンス５の連結部５２で、一対の第１部材２及び各々の第１部材２に対応する一対の第２部材３が用いられ、１個の支柱７に対して幅方向Ｘで隣り合う複数の胴縁付パネル６を取り付けるものとなる。このとき、各々の第１部材２は、一方の胴縁付パネル６に一方の第２部材３とともに固定され、他方の胴縁付パネル６に他方の第２部材３とともに固定されるものとなる。
【００６２】
これにより、本発明を適用したフェンス継手１は、フェンス５の連結部５２において、一方の第１部材２の第１支柱固定部２３と、他方の第２部材３の第２パネル固定部３２とが、支柱７及び胴縁付パネル６の正面側Ａ及び背面側Ｂの各々で、幅方向Ｘで相互に干渉しないように設けられるものとなり、第１支柱固定部２３と第２パネル固定部３２とが重なり合わないようにして、第１部材２及び第２部材３を容易に取り付けることが可能となる。
【００６３】
また、本発明を適用したフェンス継手１は、図１６に示すように、フェンス５の両端部５１において、第２部材３の第２パネル固定部３２と、第３部材４の第３支柱固定部４３とが、支柱７及び胴縁付パネル６の正面側Ａ及び背面側Ｂの各々で、幅方向Ｘで相互に干渉しないように設けられるものとなり、第２パネル固定部３２と第３支柱固定部４３とが重なり合わないようにして、第２部材３及び第３部材４を容易に取り付けることが可能となる。
【００６４】
本発明を適用したフェンス継手１は、図１に示すように、フェンス５の屈曲部５３で、１個の支柱７に対して並べて設けられる複数の胴縁付パネル６の平面方向の平面角度を相互に変えるものとして用いることもできる。本発明を適用したフェンス継手１は、例えば、複数の胴縁付パネル６の平面角度を略直角とする場合に、図１７（ａ）に示すように、挿通孔７２の向きを奥行方向Ｚに対して約４５°傾斜させた支柱７に取り付けられるものとなる。
【００６５】
このとき、支柱締結部材７６は、図１７（ｂ）に示すように、奥行方向Ｚに対して約４５°傾斜させて挿通孔７２に挿通されるものとなり、一対の第１部材２の各々の第１パネル固定部２２が略直角に配置されて、各々の第１横長孔２５に挿通されるものとなる。一対の第１部材２は、フェンス５の屈曲部５３で、一方の第１部材２の第１パネル固定部２２の近傍となる第１横長孔２５の基端側２５ｂと、他方の第１部材２の第１横長孔２５の先端側２５ａとに支柱締結部材７６が挿通されて、支柱７の正面側Ａ及び背面側Ｂから固定されるものとなる。
【００６６】
これにより、本発明を適用したフェンス継手１は、図１８に示すように、フェンス５の屈曲部５３で、１個の支柱７に対して、隣り合う複数の胴縁付パネル６の平面方向の平面角度を相互に変えるものとして用いられて、本発明を適用したフェンス５に屈曲部５３が形成される。本発明を適用したフェンス継手１は、フェンス５の屈曲部５３において、１個の支柱７に対して、隣り合う複数の胴縁付パネル６の平面角度を相互に変えても、支柱７及び胴縁付パネル６の正面側Ａ又は背面側Ｂで、一方の胴縁付パネル６に取り付けられた第１部材２と、他方の胴縁付パネル６に取り付けられた第２部材３とが相互に干渉することなく、この平面角度に容易に対応することが可能となる。
【００６７】
本発明を適用したフェンス継手１は、図１５、図１６、図１８に示すように、第１部材２の第１パネル固定部２２と第２部材３の第２パネル固定部３２とが、胴縁付パネル６のパネル本体６１を挟み込んで固定されるため、胴縁６２を削孔することを必要とすることなく、第１胴縁保持部２１と第２胴縁保持部３１とで胴縁６２を挟み込んで確実に保持することができる。これにより、本発明を適用したフェンス継手１は、胴縁付パネル６の胴縁６２に対する加工コストを増大させずに、胴縁６２を強度低下させることなく、支柱７に胴縁付パネル６を取り付けることが可能となる。
【００６８】
本発明を適用したフェンス継手１は、第１部材２、第２部材３及び第３部材４を、胴縁付パネル６の左上端部、左下端部、右上端部及び右下端部で、胴縁付パネル６及び支柱７の正面側Ａ及び背面側Ｂに反転させて取り付けることができる。これにより、本発明を適用したフェンス継手１は、フェンス５の両端部５１、連結部５２及び屈曲部５３で、各々の形状が共通する第１部材２、第２部材３及び第３部材４を用いることができ、継手の種類を増加させることなく、少ない種類の継手で胴縁付パネル６を取り付けることができ、フェンス５の材料コストや施工コストの増大を抑制することが可能となる。
【００６９】
本発明を適用したフェンス継手１は、第１部材２に第１横長孔２５が設けられているため、フェンス５の屈曲部５３で、一対の第１部材２の各々の第１支柱固定部２３を部分的に重ね合わせて、一対の第１部材２の各々の第１パネル固定部２２の平面方向の平面角度を相互に変えることができる。これにより、本発明を適用したフェンス継手１は、１個の支柱７に対して、隣り合う複数の胴縁付パネル６の平面方向の平面角度を相互に変えることが可能となる。
【００７０】
本発明を適用したフェンス継手１は、フェンス５の両端部５１、連結部５２及び屈曲部５３における胴縁付パネル６の支柱７への支持は、第１部材２の第１支柱固定部２３のみによってされている。これにより、本発明を適用したフェンス継手１は、胴縁付パネル６を支柱７に直接的に支持させるものとして、第２部材３が用いられないため、第２部材３の強度を高くすることを必要としないことから、第２部材３の板厚を薄くすることができ、フェンス継手１の材料コストの増大を抑制することが可能となる。
【００７１】
本発明を適用したフェンス継手１は、胴縁付パネル６の左端部及び右端部に隙間塞ぎ材６４が設けられることで、施工誤差によって生じる支柱７と胴縁付パネル６との隙間を塞いで背面側Ｂからの視界を遮ることが可能となる。また、本発明を適用したフェンス継手１は、第１取付孔２４、第２取付孔３４、パネル本体６１の貫通孔６３及び隙間塞ぎ材６４の孔部６５が重ね合わせられて、１個のパネル締結部材６６で固定されるものとなるため、隙間塞ぎ材６４の孔部６５を流用して、パネル締結部材６６の数量を増加させることなく、容易、迅速に第１部材２及び第２部材３を胴縁付パネル６に取り付けることが可能となる。
【００７２】
本発明を適用したフェンス継手１は、第１部材２及び第２部材３を胴縁付パネル６に取り付けた状態で、第１部材２の第１支柱固定部２３が、胴縁付パネル６の正面側Ａ又は背面側Ｂの何れか一方にのみ設けられるため、第１部材２及び第２部材３を胴縁付パネル６にあらかじめ取り付けた後に、胴縁付パネル６を支柱７に固定することができる。これにより、本発明を適用したフェンス継手１は、支柱７に胴縁付パネル６を支持させながら第１部材２及び第２部材３を胴縁付パネル６に取り付けることを必要とせず、容易、迅速に第１部材２及び第２部材３を胴縁付パネル６に取り付けることが可能となる。
【００７３】
本発明を適用したフェンス５は、本発明を適用したフェンス継手１を両端部５１、連結部５２及び屈曲部５３に用いることができ、胴縁付パネル６の胴縁６２に対する加工コスト、フェンス５の材料コストや施工コスト及びフェンス継手１の材料コストの増大を抑制することが可能となるとともに、容易、迅速に第１部材２及び第２部材３を胴縁付パネル６に取り付けることが可能となる。
【００７４】
本発明を適用したフェンス５は、本発明を適用したフェンス継手１を屈曲部５３に用いることができ、一対の第１部材２の各々の第１パネル固定部２２の平面方向の平面角度を相互に変えることによって、１個の支柱７に対して、隣り合う複数の胴縁付パネル６の平面方向の平面角度を相互に変えることが可能となる。
【００７５】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００７６】
例えば、本発明を適用したフェンス５は、他の実施形態において、図１９に示すように、支柱７の支柱中間部７ｃに挿通孔７２を形成されて、高さ方向Ｙで２段に亘って胴縁付パネル６が取り付けられるものとされてもよい。
【符号の説明】
【００７７】
１        ：フェンス継手
２        ：第１部材
２１      ：第１胴縁保持部
２２      ：第１パネル固定部
２３      ：第１支柱固定部
２４      ：第１取付孔
２５      ：第１横長孔
２５ａ    ：先端側
２５ｂ    ：基端側
３        ：第２部材
３１      ：第２胴縁保持部
３２      ：第２パネル固定部
３３      ：突出部
３４      ：第２取付孔
４        ：第３部材
４３      ：第３支柱固定部
４５      ：第３横長孔
５        ：フェンス
５１      ：両端部
５２      ：連結部
５３      ：屈曲部
６        ：胴縁付パネル
６１      ：パネル本体
６１ａ    ：パネル上部
６１ｂ    ：パネル下部
６１ｃ    ：パネル中間部
６２      ：胴縁
６３      ：貫通孔
６４      ：隙間塞ぎ材
６５      ：孔部
６６      ：パネル締結部材
７        ：支柱
７ａ      ：支柱上部
７ｂ      ：支柱下部
７ｃ      ：支柱中間部
７１      ：蓋部材
７２      ：挿通孔
７６      ：支柱締結部材
Ａ        ：正面側
Ｂ        ：背面側
Ｘ        ：幅方向
Ｙ        ：高さ方向
Ｚ        ：奥行方向
【図１】
2015004234.tif 000003
【図２】
2015004234.tif 000004
【図３】
2015004234.tif 000005
【図４】
2015004234.tif 000006
【図５】
2015004234.tif 000007
【図６】
2015004234.tif 000008
【図７】
2015004234.tif 000009
【図８】
2015004234.tif 000010
【図９】
2015004234.tif 000011
【図１０】
2015004234.tif 000012
【図１１】
2015004234.tif 000013
【図１２】
2015004234.tif 000014
【図１３】
2015004234.tif 000015
【図１４】
2015004234.tif 000016
【図１５】
2015004234.tif 000017
【図１６】
2015004234.tif 000018
【図１７】
2015004234.tif 000019
【図１８】
2015004234.tif 000020
【図１９】
2015004234.tif 000021